(57)【要約】【課題】着座した身体の姿勢又は動きに適合して支持作用をもたらす椅子用後部支持体を提供する【解決手段】椅子用の後部支持体（30）が椅子フレーム（32）の両側部に結合されるよう構成されたカバー（44）を有する。ストラップ（42）がカバーに連結されている。中央部分（48）を備えたスレッドがストラップに結合され、スレッドは椅子フレームに対して回動してユーザの背中に対して支持作用をもたらすよう構成されている。カバーは、低位置と高位置との間で椅子フレームに可動的に連結される。スレッドは、カバーが低位置と高位置との間で動いているときに回動してスレッドの中央部分が低位置と高位置との間でフレームに連結されているメンブレンの少なくとも一部分に実質的に平行であるよう構成されている。【選択図】図４
2017221667.tif 000002
【特許請求の範囲】
【請求項１】
椅子用の後部支持体であって、
椅子フレームの互いに反対側の側部に結合されるよう構成されたカバーと、
前記カバーに連結されたストラップと、
前記ストラップに結合されている中央部分を備えたスレッドとを有し、前記スレッドは、前記椅子フレームに対して回動してユーザの背中に支持作用をもたらすように構成され、
前記カバーは、低位置と高位置との間で前記椅子フレームに可動的に結合するよう構成され、前記スレッドは、前記カバーが前記低位置と前記高位置との間で動いているときに回動して前記スレッドの前記中央部分が前記低位置と前記高位置との間で前記フレームに連結されているメンブレンの少なくとも一部分に実質的に平行であるよう構成されている、後部支持体。
【請求項２】
前記スレッドは、上方部分および下方部分を有し、前記カバーが前記第１の位置にあるとき、前記スレッドは、前記下方部分が前記上方部分の前に配置されるよう回動し、前記カバーが前記第２の位置にあるとき、前記スレッドは、前記上方部分が前記下方部分の前に位置するよう回動する、請求項１記載の後部支持体。
【請求項３】
前記上方部分は、前記フレームおよび前記下方部分から遠ざかって延びる第１の湾曲区分を有し、前記下方部分は、前記フレームから遠ざかって延びる第２の湾曲区分を有する、請求項２記載の後部支持体。
【請求項４】
前記スレッドの前記上方部分および前記下方部分は、可撓性である、請求項３記載の後部支持体。
【請求項５】
前記カバーは、前記椅子フレームの一方の側に隣接して位置する第１の連結箇所および前記椅子フレームの反対側の側部に隣接して位置する第２の連結箇所を有し、前記ストラップは、前記第１の連結箇所に結合された第１の端、前記第２の連結箇所に結合された第２の端、および前記第１の端と前記第２の端との間に位置する内側区分を有する、請求項１記載の後部支持体。
【請求項６】
前記ストラップは、前記第１の連結箇所と前記第２の連結箇所との間で引っ張られている、請求項５記載の後部支持体。
【請求項７】
前記ストラップは、内側部分と、前記内側部分から延びる第１のアームと、前記第１のアームから延びる第１の枝部および第２の枝部と、前記内側部分から延びる第２のアームと、前記第２のアームから延びる第３の枝部および第４の枝部とを有する、請求項１記載の後部支持体。
【請求項８】
前記カバーは、第１の連結アームおよび第２の連結アームを有し、前記連結アームの各々は、前記椅子フレームに設けられたレール部材に係合するよう構成された端片を有する、請求項１記載の後部支持体。
【請求項９】
椅子用の後部支持体であって、
背もたれの開口部を横切って延びるよう構成されるとともに椅子フレームの互いに反対の側部に結合されたカバーを有し、前記カバーは、前記フレームの一方の側部に隣接して位置する第１の連結箇所および前記フレームの反対側の側部に隣接して位置する第２の連結箇所を有し、
前記カバーの前記第１の連結箇所に結合した第１の端、前記カバーの前記第２の連結箇所に結合された第２の端、および前記第１の端と前記第２の端との間に位置する中央区分を備えたストラップを有し、前記ストラップは、前記第１の連結箇所と前記第２の連結箇所との間で引っ張られており、
前記カバーに対して回動可能な状態で前記ストラップの前記中央区分に結合されたスレッドを有し、前記スレッドは、ユーザを支持するよう前記フレームに結合されたメンブレンに係合するよう構成されている、後部支持体。
【請求項１０】
前記スレッドは、前記フレームから遠ざかって延びる第１の湾曲区分を備えた上方部分および前記フレームから遠ざかって延びる第２の湾曲区分を備えた下方部分を有する、請求項９記載の後部支持体。
【請求項１１】
前記スレッドは、連結部材によって前記ストラップにスナップ嵌めされている、請求項９記載の後部支持体。
【請求項１２】
前記連結部材は、第１の内側バーと、第２の内側バーと、前記第１および前記第２の内側バーに実質的に垂直に延びるクロスバーを有する、請求項１１記載の後部支持体。
【請求項１３】
前記ストラップは、内側部分と、前記内側部分から延びる第１のアームと、前記第１のアームから延びる第１の枝部および第２の枝部と、前記内側部分から延びる第２のアームと、前記第２のアームから延びる第３の枝部および第４の枝部とを有する、請求項９記載の後部支持体。
【請求項１４】
前記第１のアーム、前記第２のアーム、前記第１の枝部、前記第２の枝部、前記第３の枝部、および前記第４の枝部は、ガルウイング形態を有する、請求項１３記載の後部支持体。
【請求項１５】
前記カバーは、開口部を備えた湾曲後壁を有し、前記ストラップは、前記開口部の一部分を横切って延びている、請求項９記載の後部支持体。
【請求項１６】
前記カバーは、低位置と高位置との間で前記椅子フレームに可動的に結合するよう構成され、前記スレッドは、前記カバーが前記低位置と前記高位置との間で動いているときに回動して前記スレッドの前記中央部分が前記低位置と前記高位置との間での運動時にユーザの背中と整列するよう構成されている、請求項９記載の後部支持体。
【請求項１７】
前記スレッドの少なくとも一部分は、可撓性である、請求項９記載の後部支持体。
【請求項１８】
椅子であって、
ベースを有し、
前記ベースによって支持された座部を有し、
前記座部に隣接して位置した背もたれを有し、前記背もたれは、中央開口部を画定するフレームおよび前記フレームに連結された状態で前記中央開口部上に覆って浮いた状態で設けられたメンブレンを有し、
前記フレームに連結されたカバーを有し、
前記カバーに連結されたストラップを有し、
前記ストラップに連結されたスレッドを有し、前記スレッドは、前記椅子フレームに対して回動するとともにユーザの背中に対して支持作用をもたらすよう構成され、
前記カバーは、低位置と高位置との間で前記椅子フレームに可動的に結合するよう構成され、前記スレッドは、前記カバーが前記低位置と前記高位置との間で動いているときに回動して前記スレッドの前記中央部分が前記メンブレンの少なくとも一部分に実質的に平行であるよう構成されている、椅子。
【請求項１９】
前記フレームは、第１のレールおよび第２のレールを有し、前記カバーは、前記第１および前記第２のレールに連結されている、請求項１８記載の椅子。
【請求項２０】
前記第１のレールは、第１の溝形材を含み、前記第２のレールは、第２の溝形材を含み、前記カバーは前記第１の溝形材に連結された第１の組をなす連結アームおよび前記第２の溝形材に連結された第２の組をなす連結アームを有する、請求項１９記載の椅子。
【請求項２１】
前記スレッドは、上方部分および下方部分を有し、前記カバーが前記第１の位置にあるとき、前記スレッドは、前記下方部分が前記上方部分の前に配置されるよう回動し、前記カバーが前記第２の位置にあるとき、前記スレッドは、前記上方部分が前記下方部分の前に位置するよう回動する、請求項１８記載の椅子。
【請求項２２】
前記カバーは、前記椅子フレームの一方の側に隣接して位置する第１の連結箇所および前記椅子フレームの反対側の側部に隣接して位置する第２の連結箇所を有し、前記ストラップは、前記第１の連結箇所に結合された第１の端、前記第２の連結箇所に結合された第２の端、および前記第１の端と前記第２の端との間に位置する内側区分を有する、請求項１８記載の椅子。
【請求項２３】
前記スレッドの少なくとも一部分は、可撓性である、請求項１８記載の椅子。
【発明の詳細な説明】
【技術分野】
【０００１】
本発明の種々の例示の実施形態は、着座面、例えばオフィス用椅子（オフィスチェア）のための後部支持体に関する。
【背景技術】
【０００２】
着座構造体は、可撓性の背もたれ部材、例えばポリプロピレンシートおよび織成エラストマーメンブレンを備えている場合がある。典型的には、可撓性部材は、可撓性部材に３次元輪郭を与えるよう種々の仕方で引っ張り状態に置かれる。
【０００３】
可撓性背もたれは、ユーザの位置の動きおよびずれに対応することができるが、ユーザの中には、長期間にわたって着座した後に不快な状態になる人がいる。これは、椅子に座っている人が、諸理由で、例えばかかる人が行っている作業のためにかかる人が占めることができる体位または姿勢位置が制限されている場合に特に当てはまる。
【０００４】
脊椎は、４つの全体的な領域、すなわち、頸椎（頸部）、胸椎（上方の背中）、腰椎（下方の背中）および仙椎（尾骨）に分けられる。自然な整列した脊椎では、胸椎は、横から見ると円背、またはなだらかな凸状の曲線を描いている。脊柱前彎腰椎部は、横から見ると、僅かに凹状の曲線を描いている。仙骨は、脊椎の底部である。これは、寛骨相互間にくさび止めされた５つの椎骨の大きな三角形融合部である。これらの骨の連結は、千腸関節と呼ばれている。背中の問題は、腰椎が仙骨に結合している場所で起こることがある。腰椎および周りの筋肉、腱、靱帯もまた、長期間にわたって座った後に非常に多くの人々にとって不快感のありふれた源である。
【発明の概要】
【発明が解決しようとする課題】
【０００５】
背筋を伸ばして座ることは、多くの椅子のユーザにとって困難な場合がある。特に、多くの着座器具では、椅子の背もたれとユーザの仙骨との間には空所が存在する。その結果、椅子のユーザは、前かがみの姿勢を取る場合がある。前かがみにより、ユーザは、姿勢が悪く、筋肉制御ができず、しかも不快な体位になる。前かがみにより、多くのすぐに現れる問題が生じる場合がある。例えば、疲労の増大またはもじもじした動作が不快感のために結果として生じる場合がある。加うるに、望ましくない身体的効果、例えば腰椎椎間板への圧迫の増大または筋痙攣の発生が前かがみの結果として生じる場合がある。種々の長期間に起因する問題もまた生じることがある。例えば、腰部筋肉の痛みまたは肩胛骨相互間の不快感が結果として生じる場合がある。また、頸部筋肉の締め付けや筋肉痛そして頭痛が結果として生じる場合がある。
【課題を解決するための手段】
【０００６】
例示の実施形態によれば、椅子用の後部支持体が椅子フレームの両側部に結合されるよう構成されたカバーを有する。ストラップがカバーに連結されている。中央部分備えたスレッドがストラップに結合され、スレッドは椅子フレームに対して回動してユーザの背中に対して支持作用をもたらすよう構成されている。カバーは、低位置と高位置との間で椅子フレームに可動的に連結される。スレッドは、カバーが低位置と高位置との間で動いているときに回動してスレッドの中央部分が低位置と高位置との間でフレームに連結されているメンブレンの少なくとも一部分に実質的に平行であるよう構成されている。
【０００７】
別の例示の実施形態によれば、椅子用の後部支持体が背もたれの開口部を横切って延びるよう構成されるとともに椅子フレームの互いに反対の側部に結合されたカバーを有する。カバーは、フレームの一方の側部に隣接して位置する第１の連結箇所およびフレームの反対側の側部に隣接して位置する第２の連結箇所を有する。ストラップがカバーの第１の連結箇所に結合した第１の端、カバーの第２の連結箇所に結合された第２の端、および第１の端と第２の端との間に位置する中央区分を備えたストラップを有する。ストラップは、第１の連結箇所と第２の連結箇所との間で引っ張られている。スレッドがストラップの中央区分に結合されかつカバーに対して回動可能である。スレッドは、ユーザを支持するようフレームに結合されたメンブレンに係合するよう構成されている。
【０００８】
別の例示の実施形態によれば、椅子がベースおよびベースによって支持された座部を有する。背もたれが座部に隣接して位置し、この背もたれは、中央開口部を画定するフレームおよびフレームに連結された状態で中央開口部上に覆って浮いた状態で設けられたメンブレンを有する。カバーがフレームに連結されている。ストラップがカバーに連結されている。スレッドがストラップに連結されている。スレッドは、椅子フレームに対して回動するとともにユーザの背中に対して支持作用をもたらすよう構成されている。カバーは、低位置と高位置との間で椅子フレームに可動的に結合するよう構成されている。スレッドは、カバーが低位置と高位置との間で動いているときに回動してスレッドの中央部分が低位置と高位置との間でフレームに連結されているメンブレンの少なくとも一部分に実質的に平行であるよう構成されている。
【０００９】
種々の例示の実施形態の観点および特徴は、添付の図面を参照して行われるこれら例示の実施形態の説明から明らかになろう。
【図面の簡単な説明】
【００１０】
【図１】作業用椅子の例示の実施形態を示す図である。
【図２】例示の椅子フレームおよび支持装置の前から見た斜視図である。
【図３】図２の後から見た斜視図である。
【図４】図２の例示の後部支持体の前からみた分解組立て斜視図である。
【図５】図４の後から見た斜視図である。
【図６】図２の後部支持体の前から見た斜視図であり、ストラップが応力を受けておらずあらかじめ組み立てられた状態にあり、スレッドがストラップに連結された状態を示す図である。
【図７】図６の平面図である。
【図８】図６の側面図である。
【図９】図８の断面図である。
【図１０】例示のカバーおよびストラップの正面図である。
【図１１】第１の位置にある例示の後部支持体の背面図である。
【図１２】図１１の横から見た斜視図である。
【図１３】第２の位置にある図１１の例示の後部支持体の背面図である。
【図１４】図１３の横から見た斜視図である。
【図１５】第３の位置にある図１１の例示の後部支持体の背面図である。
【図１６】図１５の横から見た斜視図である。
【図１７】互いに異なる撓み位置を示す支持部材の略図である。
【発明を実施するための形態】
【００１１】
種々の例示の実施形態は、着座構造体および着座構造体を作る方法に関する。着座構造体としては、ユーザの体を支持するために用いられる任意の構造体を含むことができ、かかる構造体としては、例えば、オフィスチェア、椅子、ソファ、航空機シート、車両シート、自転車シート、船舶シート、ベッド、歯科および医療シートおよびベッド、オーディトリアムおよび教育用シーティングなどが挙げられるが、これらには限定されない。理解されるべきこととして、本明細書において開示する種々の方法および器具は、座部（シート）および／または背もたれ以外の着座構造体にも利用でき、かかる着座構造体としては、例えば、アームレスト、ヘッドレストおよび他の人間工学的位置決め特徴部が挙げられるが、これらには限定されない。加うるに、種々の方法および器具は、着座構造体以外のフレームおよびサスペンション材料を採用した構造体に利用できる。例示の実施形態がオフィス用椅子と関連して図示されているが、他の実施形態は、種々の形態を含むことができる。
【００１２】
図１は、座部２、背もたれ４およびベースまたは基部６を有する椅子として構成された着座構造体の例示の実施形態を示している。ベースは、チルト制御ハウジング８、チルト制御ハウジング８に結合された状態でこれを支持した支持コラム１０および支持コラム１０に結合された状態でこれを支持したベース構造体１２を有する。一対のアームレスト１１が椅子に連結されるのが良い。
【００１３】
座部２は、フレーム１４、サスペンション材料１６、およびキャリヤ１８を有する。キャリヤ１８は、サスペンション材料１６を保持し、このキャリヤは、フレーム１４に結合している。図示の例示の実施形態では、フレーム１４は、開口部を構成する前部、後部、および一対の側部を備えたリングとして形成されている。フレーム１４は、側部材、頂部材、および底部材から形成されていても良い。フレーム１４の種々の寸法、形状、および形態を美観、人間工学的観点、スペース、または他の検討事項にしたがって用いるのが良い。フレーム１４は、単一の均一のユニットとして一体に形成されても良く、あるいは、別々のコンポーネントで形成されても良い。
【００１４】
背もたれ４は、フレーム２０、サスペンション材料２２および、キャリヤ２４を有する。キャリヤ２４は、サスペンション材料２２を保持し、このキャリヤは、フレーム２０に結合している。図示の例示の実施形態では、フレーム２０は、開口部を構成する前部、後部、および一対の側部を備えたリングとして形成されている。フレーム２０は、側部材、頂部材、および底部材から形成されていても良い。フレーム２０の種々の寸法、形状、および形態を美観、人間工学的観点、スペース、または他の検討事項にしたがって用いるのが良い。フレーム２０は、単一の均一のユニットとして一体に形成されても良く、あるいは、別々のコンポーネントで形成されても良い。
【００１５】
サスペンション材料１６，２２を連結する種々の方法を用いることができ、かかる方法としては、結合および接着剤または機械的締結具、例えばステープル、またはインモールディング（in-molding）が挙げられる。キャリヤ１８，２４をフレーム１４，２０に係合させると、サスペンション材料１６，２２は、座部２および背もたれ４の開口部を横切って跨ぐ。
【００１６】
サスペンション材料１６，２２は、種々のエラストマー材料または布類を含む織布もしくはニット材料または種々の成形ポリマー材料で形成できる。座部２および背もたれ４は、サスペンション材料１６，２２について同一形式の材料または互いに異なる材料を利用することができる。種々の例示の実施形態では、サスペンション材料１６，２２は、複数のマルチフィラメントストランドと織り合わされた複数のモノフィラメントを含むのが良い。モノフィラメント２６は、主要な耐力部材であるのが良く、これらモノフィラメントは、座部２および背もたれ４のたて糸方向で側方に延びるのが良く、マルチフィラメントストランドは、よこ糸方向に長手方向に延びる。加うるに、モノフィラメントおよび／またはマルチフィラメントは、必要ならば側方の方向と長手方向の両方に延びるよう組み合わされても良い。
【００１７】
図２および図３は、例示の椅子フレーム３２に連結された調節可能な後部支持体３０を示している。フレームは、開口部を構成する前部、後部、および一対の側部を備えたリングとして図示されている。フレーム３２の後部は、それぞれの側部から延びる第１のレール３４および第２のレール３６を含む。後部支持体３０は、第１のレール３４と第２のレール３６との間に延びるとともに第１および第２のレール３４，３６に摺動可能に連結されている。例示の実施形態では、第１のレール３４は、フレームの前面および後面に設けられた第１の幅の狭い部分または溝形材３５を有し、第２のレール３６は、フレームの前面および後面に設けられた第２の幅の狭い部分または溝形材３７を有する。後部支持体３０は、例えば仙椎領域と腰椎領域との間でかつこれらを含むユーザの背中の互いに異なる領域に対して支持体を提供するよう溝形材３５，３７に沿って垂直方向に調節可能である。
【００１８】
図４〜図１０は、スレッド４０、ストラップ４２、およびカバー４４を有する後部支持体３０を示している。スレッド４０は、ユーザに向いた第１の側部と、ストラップ４２およびカバー４４に向いた後側部とを有する。例示の実施形態では、スレッド４０の前部は、上方部分４６、中央部分４８、および下方部分５０を含む。上方部分４６は、丸形縁部を有し、この上方部分は、椅子フレーム３２から遠ざかって中央部分４８から延び、例えば、１つまたは２つ以上の傾斜部分、湾曲部分、またはこれらの組み合わせを有する。下方部分５０は、底部に向かってテーパしていて、この下方部分は、丸形縁部を有する。下方部分５０もまた椅子フレーム３２から遠ざかって中央部分４８から延び、例えば、１つまたは２つ以上の傾斜部分、湾曲部分、またはこれらの組み合わせを有する。中央部分４８は、実質的に平坦な表面を有するのが良い。上方部分４６と中央部分４８との間の移行部および下方部分５０と中央部分４８との間の移行部は、湾曲しているのが良い。また、上方部分４６、中央部分４８、および下方部分５０の主要内面と外縁との間には移行部が存在するのが良い。この縁移行部は、傾斜した表面、湾曲した表面、またはこれらの組み合わせを有するのが良い。
【００１９】
図５に最も良く示されているように、連結部材がスレッドの後部から延びてスレッド４０をストラップ４２に連結している。例示の実施形態では、連結部材は、１つまたは２つ以上の突出部を包囲した実質的に涙滴形状を有する外側リング５２を含む。突出部は、第１の内側バー５４、第２の内側バー５６、および第１および第２の内側バー５４，５６に実質的に垂直に延びるクロスバー５８を含む。内側バー５４，５６は、ストラップ４２とのスナップ嵌め連結を可能にする１つまたは２つ以上の拡大ヘッドを有する。例えば、内側バー５４，５６は、実質的にダンベル形状を有するのが良い。
【００２０】
ストラップ４２は、スレッド４０に向いた前側部、カバー４４に向いた後側部を有する。ストラップ４２の内側部分６２は、第１の開口部６３Ａおよび第２の開口部６３Ｂを有する。開口部の面積は、ストラップの前部から後部まで減少している。第１の組をなすタイン（突叉）６５Ａが第１の開口部６３Ａの下に位置決めされ、第２の組をなすタイン６５Ｂが第２の開口部６３Ｂの下に位置決めされている。第１の開口部６３Ａは、第１の内側バー５４を、第２の開口部６３Ｂは、第２の内側バー５６をそれぞれスナップ嵌め連結状態で受け入れる。タイン６５Ａ，６５Ｂの各組は、クロスバー５８の一部分を受け入れるスロットによって隔てられている。
【００２１】
第１および第２のアーム６４Ａ，６４Ｂがストラップ４２の内側部分６２の互いに反対側の側部から延びている。第１および第２の枝部６６Ａが第１のアーム６４Ａから延び、第３および第４の枝部６６Ｂが第２のアーム６４Ｂから延びている。例示の実施形態では、ストラップアーム６４Ａ，６４Ｂおよび枝部６６Ａ，６６Ｂが内側部分６２から実質的にガルウイングデザインをなして延びている。各枝部６６Ａ，６６Ｂは、カバー４４に向かって延びるカラー６８を有している。カラー６８は、関連の枝部６６Ａ，６６Ｂを貫通して延びる孔を少なくとも部分的に構成している。
【００２２】
カバー４４は、湾曲した後壁７２を有し、この湾曲後壁は、第１および第２の枝部６６Ａとそれぞれ整列した第１の組をなすストラップ連結部材７４Ａおよび第３および第４の枝部６４Ｂとそれぞれ整列した第２の組をなすストラップ連結部材７４Ｂを有する。ストラップ連結部材７４，７４Ｂは各々、後壁７２からストラップ４２に向かって延びる突出部を有する。ストラップ連結部材７４Ａ，７４Ｂは、ストラップを引き延ばしてストラップ連結部材の周りに位置決めした後にストラップを保持する延長リップ７６を有する湾曲した突出部を含むのが良い。カバー４４は、後壁７２から延びる第１の組をなす連結アーム７８Ａおよび第２の組をなす連結アーム７８Ｂを有し、各アーム７８Ａ，７８Ｂは、開口部を構成する１つまたは２つ以上の湾曲した端片８０を有する。端片８０は、端片８０の遠位端が溝形材３５，３７に係合した状態で椅子フレーム３２のレール３４，３６に摺動可能に係合する。例示の実施形態では、端片８０は、各々、第１の高さを有する外側端片８２および図５に示されているように第１の高さよりも低い第２の高さを有する内側端片８４を含む。
【００２３】
ストラップ４２の少なくとも一部分は、ストラップ４２がカバー４４に連結されるよう伸びることができるようにする弾性材料を含む。図４〜図９は、カバーに連結されるのに先立ってストラップを延ばされてはいない位置で示している。図１０は、カラー６８をリップ７６上に延ばしてストラップ連結部材７４Ａ，７４Ｂの突出部の周りに至るようにすく枝部６６Ａ，６６Ｂの伸びを表す矢印を示している。ストラップ４２は、軸線Ａ回りに回動するよう構成され、アーム６４のテーパ付き部分Ｔは、断面積が小さいので大きなばねコンプライアンスをもたらす。
【００２４】
ストラップ４２は、ユーザが椅子に座っているときにカバーに向かって動きまたは撓むことができ、また、支持装置３０が動かされているときに回転することができ、それによりスレッド４０を回動させる。支持装置３０を下方位置と上方位置との間の任意の場所に動かすことができる。図１１および図１２は、下方または仙椎位置１００にある支持装置３０の一例を示し、図１３および図１４は、中間位置１０２にある支持装置３０の一例を示し、図１５および図１６は、上側または腰椎位置１０４にある支持装置３０の一例を示している。
【００２５】
支持装置３０を動かしているときに、スレッド４０は、多数の位置（図１７に示されている）相互間で回動し、その結果、中央部分４８は、常時ユーザの背中に向くように傾けられ、装置の縁は、ユーザを椅子の背中に捕捉しまたは挟み込むことはない。例えば、スレッド４０は、中央部分４８の全てまたは少なくとも一部分がユーザの背中にかつ／あるいは支持部材３０の位置１００，１０２，１０４の全運動範囲を通じて隣接のサスペンション材料に実質的に平行になるように回動することができる。例示の実施形態では、使用中におけるシステムの運動範囲は、下方または仙椎位置１００における約０．１５インチ（３．８１ｍｍ）撓みから上方または腰椎位置１０４の約０．５インチ（１２．７ｍｍ）撓みまでの範囲内にある。支持部材３０、例えばストラップ４２は、０ポンド超から約５ポンド（２．２７ｋｇ）のばね力をもたらすよう構成されているのが良い。
【００２６】
例示の実施形態によれば、スレッド４０の１つまたは２つ以上の部分は、スレッドがユーザの背中の形状に一致するのを助けるよう可撓性または弾性であるのが良い。例えば、上方部分４６および下方部分５０は、追加の快適さおよび支持作用をもたらすようユーザの背中の形状に一致するよう撓むのが良い。可撓性または弾性は、ある特定の領域の材質および材料の厚さの結果であると言える。
【００２７】
種々の例示の実施形態は、互いに異なる材料および詰め物を後部支持体コンポーネントのうちの任意のものに組み込むのが良い。後部支持体の寸法、形状、および形態はまた、椅子および／またはユーザに提供されるべき支持形式に応じて様々であって良い。
【００２８】
ある特定の例示の実施形態の上述の詳細な説明は、本発明の原理およびその実用的な用途を説明する目的で提供されており、それにより当業者であれば、本発明を種々の実施形態についておよび想定される特定の使用にあった種々の改造を施した状態で理解することがでる。説明は、必ずしも網羅的であることを意図しておらずまたは本発明を開示した例示の実施形態に限定することを意図していない。本明細書において開示した実施形態および／または要素のうちの任意のものを互いに組み合わせて具体的には開示されていない種々の追加の実施形態を構成することができる。したがって、追加の実施形態の採用が可能であり、かかる追加の実施形態は、本明細書の説明の範囲内および特許請求の範囲に記載された本発明の範囲に含まれるものである。明細書は、別の仕方で達成できる一般的な目的を達成するよう特定の実施形態を説明している。
【００２９】
本明細書で用いられる「前側」、「後側」、「上方」、「下方」、「上方に」、「下方に」という用語および他の向きを表す指示語は、本発明の例示の実施形態の説明を容易にすることを意図しており、本発明の例示の実施形態の構造を任意特定の位置および向きに限定するものではない。程度を表す用語、例えば「実質的に」または「約」は、当業者であれば、所与の値から外れたほどほどの範囲、例えば、説明した実施形態の製造、組み立て、および使用と関連した一般的な公差を意味するものと理解される。
【符号の説明】
【００３０】
２  座部
４  背もたれ部
６  ベース
８  チルト制御ハウジング
１０  サポートコラム
１１  アームレスト
１２  ベース構造体
１４，２０  フレーム
１６，２２  サスペンション材料
１８，２４  キャリヤ
３０  後部支持体
３２  フレーム
３４，３６  レール
３５，３７  溝形材
４０  スレッド
４２  ストラップ
４４  カバー
４６  スレッド上方部分
４８  スレッド中央部分
５０  スレッド下方部分
７６  リップ
８０  端片
【図１】
2017221667.tif 000003
【図２】
2017221667.tif 000004
【図３】
2017221667.tif 000005
【図４】
2017221667.tif 000006
【図５】
2017221667.tif 000007
【図６】
2017221667.tif 000008
【図７】
2017221667.tif 000009
【図８】
2017221667.tif 000010
【図９】
2017221667.tif 000011
【図１０】
2017221667.tif 000012
【図１１】
2017221667.tif 000013
【図１２】
2017221667.tif 000014
【図１３】
2017221667.tif 000015
【図１４】
2017221667.tif 000016
【図１５】
2017221667.tif 000017
【図１６】
2017221667.tif 000018
【図１７】
2017221667.tif 000019
【外国語明細書】
2017221667000001.pdf